(57)【要約】【課題】  マグネシウム合金ダイカストにより成形され、体積を大きくしても重量が重くなる問題が発生しないだけでなく、クラブヘッドを超大型サイズに設計することが可能であるゴルフクラブヘッドの殻体を提供する。【解決手段】  マグネシウム合金ダイカストにより成形されるゴルフクラブヘッドの殻体は、クラブヘッドが頂面、打球面、底面、トー部、ヒール部及びネック部を有し、内部が中空であり、またクラブヘッドの頂面の高点からトー部の突出端に沿い底部とヒール部の突出端とを通る分割線が設けられ、またクラブヘッドが打球面構造と殻体２０とに分割されることで殻体２０の分割面に最大の開口部２６を有し、また殻体２０がマグネシウム合金ダイカストにより一体成形される。【選択図】  図１
2007054565.tif 000002
【特許請求の範囲】
【請求項１】
クラブヘッドが頂面、打球面、底面、トー部、ヒール部及びネック部を有し、その内部が中空であり、クラブヘッドの頂面の高点からトー部の突出端に沿い底部とヒール部の突出端とを通る分割線が設けられ、クラブヘッドが打球面構造と殻体とに分割されることで、殻体の分割面に最大の開口部を有し、殻体がマグネシウム合金ダイカストにより一体成形されることを特徴とするマグネシウム合金ダイカストにより成形されるゴルフクラブヘッドの殻体。
【請求項２】
クラブヘッドのネック部と殻体とは、ダイカストにより一体成形されることを特徴とする請求項１に記載のマグネシウム合金ダイカストにより成形されるゴルフクラブヘッドの殻体。
【請求項３】
クラブヘッドのネック部は、管部が殻体に挿入されて連接することを特徴とする請求項１に記載のマグネシウム合金ダイカストにより成形されるゴルフクラブヘッドの殻体。
【請求項４】
殻体の開口端は、端縁に沿う凹槽を有することを特徴とする請求項１に記載のマグネシウム合金ダイカストにより成形されるゴルフクラブヘッドの殻体。
【請求項５】
打球面構造は、チタン合金で一体成形されることを特徴とする請求項１に記載のマグネシウム合金ダイカストにより成形されるゴルフクラブヘッドの殻体。
【発明の詳細な説明】
【技術分野】
【０００１】
本発明は、ゴルフクラブヘッドに関し、特にマグネシウム合金ダイカストにより成形されるゴルフクラブヘッドの殻体に関するものである。
【背景技術】
【０００２】
特許文献１により掲示されるマグネシウム合金から製造されるゴルフクラブヘッド殻体は、打球面板がチタン合金またはアルミニウム合金またはセラミックス材料などから製造される。そのうちマグネシウム合金の殻体は軽量で、振動吸収性を有し、かつ軽量のチタン合金と比べて単価が安く、またダイカスト（die casting）方法により速く、大量に製造することが可能である。しかし、ダイカスト方法を採用して製造する場合、図８および図９に示すように、離型が原因で殻体９０の頂部９１、トー部９２、底部９３、ヒール部９４に肉厚な区域が形成されるため、体積が大きくなり、重量が重くなることがその欠点である。したがって、このような構造は超大型クラブヘッドの設計においては不利である。
また、特許文献２により掲示されるのは、中空のクラブヘッドを前側殻体と後側殻体に分割可能な構造であり、そのうち後側殻体はステンレス鋼、アルミニウムまたはマグネシウムまたはその合金などから製造可能である。しかし、特許文献２には、クラブヘッドを分割する方法は掲示されていない。つまり上述の問題を解決する方法はまだ得られない。
【０００３】
【特許文献１】米国特許第５４９４２８１号明細書
【特許文献２】米国特許出願公開第２００４／００２３７３１号明細書
【発明の開示】
【発明が解決しようとする課題】
【０００４】
本発明の主な目的は、マグネシウム合金ダイカストにより成形されるゴルフクラブヘッドの殻体を提供することである。殻体がマグネシウム合金ダイカストにより成形されるため、体積を大きくしても重量が重くなる問題が発生しないだけでなく、クラブヘッドを超大型サイズに設計することが可能である。
【課題を解決するための手段】
【０００５】
上述の目的を達成するために、本発明によるマグネシウム合金ダイカストにより成形されるゴルフクラブヘッドの殻体は、クラブヘッドが頂面、打球面、底面、トー部、ヒール部及びネック部を有し、内部が中空で、またクラブヘッドの頂面の高点からトー部の突出端に沿い底部とヒール部の突出端とを通る分割線が設けられ、またクラブヘッドが打球面構造と殻体とに分割されることで殻体の分割面に最大の開口部を有し、また殻体がマグネシウム合金ダイカストにより一体成形される。
【発明を実施するための最良の形態】
【０００６】
以下、本発明の実施例を図面に基づいて説明する。
図１から図３に示すように、本発明の一実施例による殻体２０はマグネシウム合金ダイカスト（die casting）により一体成形され、頂面２１、トー部２２、底部２３、ヒール部２４及びネック部２５を有し、内部が中空で、開口部２６を有し、開口部の端面周囲に凹槽２７を有する。
【０００７】
図４から図７に示すように、ダイカスト成形における離型を容易にし、かつ殻体の壁を厚くすることなく薄型に維持するために、クラブヘッド１０の頂面１１の最高点１１１からトー部１２の最突出端１２１に沿いクラブヘッドの底部１３とヒール部１４の最突出端１４１を通って一回りする分割線５０が設けられ、殻体２０の分割面に最大の開口部２６を有する。これにより、ダイカスト型内の鋳物（図示せず、即ち殻体２０の中空の内部）を殻体２０から分離させ、殻体２０の頂部２１、トー部２２、底部２３及びヒール部２４を厚くしないように維持することが可能である。
【０００８】
本実施例の殻体２０に対し、殻体２０と結合する打球面構造３０（図中仮想線で表示されている）を設けることで、ゴルフクラブヘッド１０を共同構成することが必要である。前記打球面構造３０はチタン合金、ステンレス鋼またはマルエージング鋼などの材料で鋳造または鍛造方法により成形された後、殻体２０と接合される。本実施例では、殻体２０は凹槽２７を有し、打球面構造３０は凹槽２７と結合する凸垣３１を有する。この両者はエポキシ樹脂などの接着剤により接合される。
【０００９】
また殻壁が薄型化・軽量化されるため、クラブヘッド全体を大きくすることも可能である。かつ殻体底部２３の後端に近い位置におもり４０を配置することで、図５と図７に示すように、クラブヘッドの重心を後、下に移すように設計することが可能である。
ここで特に説明すべきことは、通常クラブヘッドの底部１３は平坦な形状を呈するため、離型に影響しないように分割線の位置の変化を大きくすることが可能であるということである。本実施例は底部の分割線の位置をできるだけ打球面の方向に移すことで底部に造形の変化を与え、商標、商品コードを設けることが可能である。また図５に示すような殻体の頂部２１に凹槽２７を設けるために、肉厚な区域を比較的多くする必要がある。また一部のクラブヘッドの頂部は平面状を呈するため、最高点はないが、それに対しその分割線の位置の選択の幅は大きい。つまり最高の平面区域を通る任意の分割方法は離型に影響しないだけでなく、体積を大きくして重量を重くすることが発生しない。
またクラブヘッドのネック部は殻体と一体成形可能であり、かつ管部を殻体に挿入して成形することも可能である。
【図面の簡単な説明】
【００１０】
【図１】本発明の実施例によるゴルフクラブヘッドの殻体を示す立体図である。
【図２】本発明の実施例によるゴルフクラブヘッドの殻体を示す平面図である。
【図３】本発明の実施例によるゴルフクラブヘッドの殻体を示す底面図である。
【図４】本発明の実施例によるゴルフクラブヘッドの殻体と打球面構造とを結合させている構造を示す模式図である。
【図５】本発明の実施例によるゴルフクラブヘッドの殻体と打球面構造とを結合させている構造を示す断面図である。
【図６】本発明の実施例によるゴルフクラブヘッドの殻体と打球面構造とを結合させている構造を示す平面図である。
【図７】本発明の実施例によるゴルフクラブヘッドの殻体と打球面構造とを結合させている構造を示す底面図である。
【図８】周知のダイカスト方法によるクラブヘッドを示す断面図である。
【図９】周知のダイカスト方法によるクラブヘッドを示す断面図である。
【符号の説明】
【００１１】
１０  クラブヘッド、１１  頂面、１２  トー部、１３  底部、１４  ヒール部、２０  殻体、２１  頂部、２２  トー部、２３  底部、２４  ヒール部、２６  開口部、２７  凹槽、３０  打球面構造、３１  凸垣、４０  おもり、５０  分割線、１１１  最高点、１２１  最突出端、１４１  最突出端
【図１】
2007054565.tif 000003
【図２】
2007054565.tif 000004
【図３】
2007054565.tif 000005
【図４】
2007054565.tif 000006
【図５】
2007054565.tif 000007
【図６】
2007054565.tif 000008
【図７】
2007054565.tif 000009
【図８】
2007054565.tif 000010
【図９】
2007054565.tif 000011